(57)【要約】【課題】  コピー機能画面，ボックス機能画面等のファクシミリ機能画面以外からでも、ファクシミリ番号入力画面を表示させることが可能なように操作部の画面表示制御を行ってファクシミリ機能利用時の操作性を向上すること。【解決手段】  ＣＰＵ１０２が、操作部１０００の液晶表示操作部にコピー機能画面，ボックス機能画面等のファクシミリ機能画面以外の画面が表示された状態で、且つ初期状態もしくはクリアキーが押下された後のように操作部１０００のテンキーによる数値入力中でない状態の場合において、テンキーにて「０」が押下された場合に操作部１０００の液晶表示操作部にファクシミリ番号入力画面を表示させる構成を特徴とする。【選択図】図１
2005223859.tif 000002
【特許請求の範囲】
【請求項１】
ファクシミリ送信機能を含む複数の機能を有する複合機において、
前記各機能に対応する操作画面を表示する表示手段と、
前記表示手段に表示された前記各機能に対応する操作画面に応じた数値の入力を行う数値入力手段と、
前記表示手段に前記ファクシミリ送信機能以外の機能に対応する操作画面が表示され且つ前記数値入力手段による数値入力中でない状態で、前記数値入力手段により特定の数値が入力された場合、前記表示手段の操作画面の表示をファクシミリ送信機能に対応する操作画面であるファクシミリ番号入力画面へ表示を切り替えさせて前記数値入力手段によるファクシミリ番号を入力可能に制御する制御手段と、
を有することを特徴とする複合機。
【請求項２】
前記特定の数値は、「０」であることを特徴とする請求項１記載の複合機。
【請求項３】
数値入力手段による数値入力中であるか否かを判断するための判断情報を記憶する記憶手段を設け、
前記制御手段は、前記記憶手段に記憶される判断情報に基づいて前記数値入力手段による数値入力中であるか否かを判断し、また、初期状態時又は前記表示手段に表示される操作画面の表示切り替え時に、前記記憶手段に記憶される判断情報を数値入力中でない状態に設定し、さらに、前記数値入力手段により前記特定の数値以外の数値が入力された場合、前記記憶手段に記憶される判断情報を数値入力中の状態に設定することを特徴とする請求項１又は２記載の複合機。
【請求項４】
ファクシミリ送信機能を含む複数の機能を有する複合機において、
前記各機能に対応する操作画面を表示する表示手段と、
前記表示手段に表示された前記各機能に対応する操作画面に応じた数値の入力を行う数値入力手段と、
前記表示手段に、前記ファクシミリ送信機能以外の機能に対応する操作画面が表示され、前記数値入力手段により所定の桁を越える数値が入力された場合、前記表示手段の操作画面の表示をファクシミリ送信機能に対応する操作画面であるファクシミリ番号入力画面へ表示を切り替えさせて前記数値入力手段によるファクシミリ番号を入力可能に制御する制御手段と、
を有することを特徴とする複合機。
【請求項５】
前記制御手段は、前記表示手段に、前記ファクシミリ送信機能以外の機能に対応する操作画面が表示され、前記数値入力手段により所定の桁を越える数値が入力された場合、前記表示手段の操作画面の表示をファクシミリ送信機能に対応する操作画面であるファクシミリ番号入力画面へ表示を切り替えさせるとともに、前記数値入力手段により入力された所定の桁を越える数値を、前記ファクシミリ番号入力画面へ表示させて前記数値入力手段によるファクシミリ番号を入力可能に制御することを特徴とする請求項４記載の複合機。
【請求項６】
前記所定の桁は、前記ファクシミリ送信機能以外の機能に対応する各操作画面毎に予め決定されている入力可能桁であることを特徴とする請求項４又は５記載の複合機。
【請求項７】
ファクシミリ送信機能を含む複数の機能を有する複合機において、
前記各機能に対応する表示や機器の状態を表示する表示部と数値の入力や設定及び機器動作の指定を行う入力部を有する操作手段と、
前記入力部による数値入力中であるか否かを判定し、数値入力中の場合は記憶手段に記憶される入力フラグをオンに設定し、初期状態や他の画面に遷移した場合には前記記憶手段に記憶される入力フラグをオフに設定する入力フラグ切り替え手段と、
前記記憶手段に記憶される入力フラグがオフの場合に、前記入力部で「０」が入力されたかどうかを判断する判断手段と、
前記判断手段により前記記憶手段に記憶される入力フラグがオフの場合に前記入力部により「０」が入力されたと判断された場合、前記表示部の表示をファクシミリ番号入力画面に切り替え制御する画面切り替え手段と、
を有することを特徴とする複合機。
【請求項８】
ファクシミリ送信機能を含む複数の機能を有する複合機において、
前記各機能に対応する表示や機器の状態を表示する表示部と数値の入力や設定及び機器動作の指定を行う入力部を有する操作手段と、
前記入力部による数値入力中である数値の桁数が予め決定されている有効桁数と等しいか否かを判定し、前記入力部による数値入力中である数値が有効桁数と等しい場合は記憶手段に記憶される桁繰り上げフラグをオンに設定し、前記入力部により入力された数値が削除された場合や初期状態や他の画面に遷移した場合には前記記憶手段に記憶される桁繰り上げフラグをオフに設定する入力フラグ切り替え手段と、
前記記憶手段に記憶される桁繰り上げフラグがオンの場合に、前記入力部で数値が入力されたかどうか判断する判断手段と、
前記判断手段により前記記憶手段に記憶される桁繰り上げフラグがオンの場合に前記入力部で数値が入力されたと判定された場合、前記表示部の表示をファクシミリ番号入力画面に切り替え制御する画面切り替え手段と、
を有することを特徴とする複合機。
【請求項９】
前記入力部は、テンキーであることを特徴とする請求項７又は８記載の複合機。
【請求項１０】
ファクシミリ送信機能を含む複数の機能と、前記各機能に対応する操作画面を表示する表示手段と、前記表示手段に表示された前記各機能に対応する操作画面に応じた数値の入力を行う数値入力手段とを有する複合機の操作画面表示制御方法において、
前記表示手段に前記ファクシミリ送信機能以外の機能に対応する操作画面が表示され且つ前記数値入力手段による数値入力中でない状態で、前記数値入力手段により特定の数値が入力されたことを判断する判断ステップと、
前記判断ステップにより、前記表示手段に前記ファクシミリ送信機能以外の機能に対応する操作画面が表示され且つ前記数値入力手段による数値入力中でない状態で、前記数値入力手段により特定の数値が入力されたと判定した場合に、前記表示手段の操作画面の表示をファクシミリ送信機能に対応する操作画面であるファクシミリ番号入力画面へ表示を切り替えさせる操作画面切り替えステップと、
を有することを特徴とする複合機の操作画面表示制御方法。
【請求項１１】
ファクシミリ送信機能を含む複数の機能と、前記各機能に対応する操作画面を表示する表示手段と、前記表示手段に表示された前記各機能に対応する操作画面に応じた数値の入力を行う数値入力手段とを有する複合機の操作画面表示制御方法において、
前記表示手段に、前記ファクシミリ送信機能以外の機能に対応する操作画面が表示され、前記数値入力手段により所定の桁を越える数値が入力されたことを判断する判断ステップと、
前記判断ステップで、前記表示手段に前記ファクシミリ送信機能以外の機能に対応する操作画面が表示された状態で、前記数値入力手段により所定の桁を越える数値が入力されたと判断された場合に、前記表示手段の操作画面の表示をファクシミリ送信機能に対応する操作画面であるファクシミリ番号入力画面へ表示切り替えさせる操作画面切り替えステップと、
を有することを特徴とする複合機の操作画面表示制御方法。
【請求項１２】
請求項１０又は１１に記載された複合機の操作画面表示制御方法を実行するためのプログラム。
【発明の詳細な説明】
【技術分野】
【０００１】
本発明は、ファクシミリ機能を搭載した複合機および複合機の操作画面表示制御方法およびプログラムに関する。
【背景技術】
【０００２】
現在、複合機には、複写を行うコピー機能、読み込んだ文書を保存するボックス機能、ファクシミリを送信するファクシミリ機能などが搭載されている。
【０００３】
この種の複合機では、操作部の表示画面に、コピー機能の標準画面（コピー機能画面）が表示されている状態でテンキーを押下した場合、該標準画面上に部数入力が表示され、ボックス機能の標準画面（ボックス機能画面）が表示されている状態でテンキーを押下した場合、保存するボックスの番号を指定する画面が開き、ボックス番号が指定可能となる。ファクシミリ機能の標準画面（ファクシミリ画面）が表示されている状態でテンキーを押下した場合、ファクシミリ送信を行うためのファクシミリ番号入力画面が開き、ファクシミリ番号が指定可能となる。このような装置が特許文献１に提案されている。
【特許文献１】特開２００３−０８５１７９号公報
【発明の開示】
【発明が解決しようとする課題】
【０００４】
しかしながら、従来の複合機では、コピー機能画面やボックス機能画面等のファクシミリ機能画面以外の機能画面からでは、テンキー入力によりファクシミリ番号を入力する画面（ファクシミリ番号入力画面）を呼び出すことができず、必ず、ファクシミリ機能画面に切り替える操作が必要であり、ファクシミリ機能への切り替えに関して、さらなる操作性の向上が望まれていた。
【０００５】
本発明は、上記の問題点を解決するためになされたもので、本発明の目的は、操作部の表示画面にファクシミリ送信機能以外の機能、例えばコピー機能，ボックス機能に対応する操作画面が表示され、且つ、テンキー等による数値入力中でない状態で、テンキー等により特定の数値（例えば「０」）が入力された場合、操作部の表示画面をファクシミリ送信機能に対応する操作画面に遷移させてテンキー等からファクシミリ番号を入力可能に制御することにより、ファクシミリ機能以外の機能の操作画面上からテンキー等を押下した場合、従来の機能を保持しつつ、ある条件を満たした場合にファクシミリの送信画面に切り替えることにより、操作性の向上を図ることができる複合機および複合機の操作画面表示制御方法およびプログラムを提供することである。
【課題を解決するための手段】
【０００６】
本発明は、ファクシミリ送信機能を含む複数の機能を有する複合機において、前記各機能に対応する操作画面を表示する表示手段と、前記表示手段に表示された前記各機能に対応する操作画面に応じた数値の入力を行う数値入力手段と、前記表示手段に前記ファクシミリ送信機能以外の機能に対応する操作画面が表示され且つ前記数値入力手段による数値入力中でない状態で、前記数値入力手段により特定の数値が入力された場合、前記表示手段の操作画面の表示をファクシミリ送信機能に対応する操作画面であるファクシミリ番号入力画面へ表示を切り替えさせて前記数値入力手段によるファクシミリ番号を入力可能に制御する制御手段とを有することを特徴とする。
【０００７】
また、本発明は、ファクシミリ送信機能を含む複数の機能を有する複合機において、前記各機能に対応する操作画面を表示する表示手段と、前記表示手段に表示された前記各機能に対応する操作画面に応じた数値の入力を行う数値入力手段と、前記表示手段に、前記ファクシミリ送信機能以外の機能に対応する操作画面が表示され、前記数値入力手段により所定の桁を越える数値が入力された場合、前記表示手段の操作画面の表示をファクシミリ送信機能に対応する操作画面であるファクシミリ番号入力画面へ表示を切り替えさせて前記数値入力手段によるファクシミリ番号を入力可能に制御する制御手段とを有することを特徴とする。
【０００８】
さらに、本発明は、ファクシミリ送信機能を含む複数の機能を有する複合機において、前記各機能に対応する表示や機器の状態を表示する表示部と数値の入力や設定及び機器動作の指定を行う入力部を有する操作手段と、前記入力部による数値入力中であるか否かを判定し、数値入力中の場合は記憶手段に記憶される入力フラグをオンに設定し、初期状態や他の画面に遷移した場合には前記記憶手段に記憶される入力フラグをオフに設定する入力フラグ切り替え手段と、前記記憶手段に記憶される入力フラグがオフの場合に、前記入力部で「０」が入力されたかどうか判断する判断手段と、前記判断手段により前記記憶手段に記憶される入力フラグがオフの場合に前記入力部により「０」が入力されたと判断された場合、前記表示部の表示をファクシミリ番号入力画面に切り替え制御する画面切り替え手段とを有することを特徴とする。
【０００９】
また、本発明は、ファクシミリ送信機能を含む複数の機能を有する複合機において、前記各機能に対応する表示や機器の状態を表示する表示部と数値の入力や設定及び機器動作の指定を行う入力部を有する操作手段と、前記入力部による数値入力中である数値の桁数が予め決定されている有効桁数と等しいか否かを判定し、前記入力部による数値入力中である数値の桁数が有効桁数と等しい場合は記憶手段に記憶される桁繰り上げフラグをオンに設定し、前記入力部により入力された数値が削除された場合や初期状態や他の画面に遷移した場合には前記記憶手段に記憶される桁繰り上げフラグをオフに設定する入力フラグ切り替え手段と、前記記憶手段に記憶される桁繰り上げフラグがオンの場合に、前記入力部で数値が入力されたかどうか判断する判断手段と、前記判断手段により前記記憶手段に記憶される桁繰り上げフラグがオンの場合に前記入力部で数値が入力されたと判定された場合、前記表示部の表示をファクシミリ番号入力画面に切り替え制御する画面切り替え手段とを有することを特徴とする。
【発明の効果】
【００１０】
本発明によれば、表示手段にファクシミリ送信機能以外の機能に対応する操作画面が表示され、且つ、数値入力手段による数値入力中でない状態で、数値入力手段により特定の数値が入力された場合、制御手段が、表示手段の表示をファクシミリ送信機能に対応する操作画面であるファクシミリ番号入力画面に切り替え表示させて数値入力手段からファクシミリ番号を入力可能に制御するので、ファクシミリ送信機能以外の機能に対応する操作画面に対応する数値入力部による数値入力機能を損なうことなく、ファクシミリ機能画面以外からの機能に対応する操作画面上からでも、数値入力部によりファクシミリ番号入力画面を呼び出してファクシミリ番号入力することを可能とし、ファクシミリ機能画面に切り替える煩雑な操作を省いてファクシミリ機能への切り替えに関しての操作性を向上することができる等の効果を奏する。
【発明を実施するための最良の形態】
【００１１】
〔第１実施形態〕
＜制御ブロック図＞
図１は、本発明の第１実施形態を示す複写装置を適用可能な複写装置の制御構成を示す制御ブロック図である。
【００１２】
図１において、２００は複合機としての複写装置、１０００は前記複写装置２００の操作部である。複写装置２００において、１００は制御部で、複写装置２００の全体制御及び画像処理を行うＩＰ部１０１、記録紙に画像を形成する為のメカ制御及びプロセス制御を行うＤＣＯＮ部１０３を含んでおり、複写装置の操作部１０００と接続されている。
【００１３】
ＩＰ部１０１は、ＣＰＵ１０２，図示しないＲＯＭ，ＲＡＭ等を備えており、ＣＰＵ１０２は、ＲＯＭに格納されたプログラムをＲＡＭ上にロードして実行することによりＩＰ部１０１の各種制御を行う。
【００１４】
ＤＣＯＮ部１０３は、ＣＰＵ１０４，図示しないＲＯＭ，ＲＡＭ等を備えており、ＣＰＵ１０４は、ＲＯＭに格納されたプログラムをＲＡＭ上にロードして実行することによりＤＣＯＮ部１０３の各種制御を行う。
【００１５】
１０５はフィーダ部、１０６はソータ部、２１０は露光制御部で、それぞれＤＣＯＮ部１０３のＣＰＵ１０４により制御される。
【００１６】
１０７はＦＡＸ部で、ＣＯＲＥＩＰ部１１２を介してＩＰ部１０１と接続されており、ＩＰ部１０１のＣＰＵ１０２により制御され、スキャナ部１１９で読み取られた画像データをＦＡＸ送信し、電話回線を介して送られてきた画像データを受信する。
【００１７】
１０８はＰＤＬ部で、ハードディスク５０２を有する外部のホストコンピュータ５０１から出力されたＰＤＬをビットマップ画像に展開し、画像データとしてＣＯＲＥＩＰ部１１２に出力する。なお、ＰＤＬ部１０８は、図示しないＲＯＭ，ＲＡＭ等を備えており、ＰＤＬ部１０８のＣＰＵ１０９は、ＲＯＭに格納されたプログラムをＲＡＭ上にロードして実行することにより各種制御処理を行う。
【００１８】
また、ＰＤＬ部１０８は、ネットワークを介して外部装置と情報をやり取りするネットワークインタフェースとしての機能を備えている。さらに、ＰＤＬ部１０８は、ＣＯＲＥＩＰ部１１２を介してＩＰ部１０１と接続されている。
【００１９】
１１０はイメージサーバ部で、ＣＯＲＥＩＰ部１１２を介してホストコンピュータ５０１からの画像データを格納する機能を有する。なお、イメージサーバ部１１０は、ＣＰＵ１１１，ハードディスク（ＨＤ）３０６，図示しないＲＯＭ，ＲＡＭ等を備えており、イメージサーバ部１１０のＣＰＵ１１１は、ＲＯＭに格納されたプログラムをＲＡＭ上にロードして実行することにより各種制御処理を行う。
【００２０】
また、イメージサーバ部１１０は、ＣＯＲＥＩＰ部１１２を介してＩＰ部１０１に接続されており、画像入出力のアクセス等が行なわれる。なお、イメージサーバ部１１０のハードディスク３０６は、画像情報を記憶可能である。
【００２１】
＜本体断面図＞
図２は、図１に示した複写装置２００の構成を示す断面図である。
【００２２】
図２において、２０３は第１の可動体で、露光ランプ２０１と第１のミラー２０２で構成される。この第１の可動体２０３は、不図示のモータにより所定方向に往復されて、プラテンガラス２６０上の原稿からの反射光は第１のミラー２０２，第２のミラー２０４，第３のミラー２０５、レンズ２０７を介してＣＣＤラインセンサ２０８に結像する。
【００２３】
２０６は第２の可動体で、第２のミラー２０４と第３のミラー２０５で構成され、第１の可動体２０３の走査に対して１／２のスピードで稼動する。
【００２４】
ＣＣＤラインセンサ２０８は、結像された反射光を基にライン単位で光電気変換を行う。この光電気変換された信号は、不図示の信号処理部でＰＷＭ変調されて露光制御部２１０に出力される。
【００２５】
露光制御部２１０は、ＰＷＭ変調された画像信号を基に感光体２４０の表面に光ビームを照射する。この時、ドラム状の感光体２４０の軸方向に対し平行に光ビームを走査する。また、露光制御部２１０は、冷却ファン２０９により冷却される。
【００２６】
なお、感光体２４０に光ビームを照射する前に、図示せぬ前露光ランプによりドラム上の残留電荷を除電し、１次帯電器２２８でドラム上を均一に帯電させている。感光体２４０は、回転しながら光ビームを受け、ドラム表面に静電潜像が形成される。現像器２１１は、ドラム表面の静電潜像を所定色の現像材（トナー）で可視化する。
【００２７】
リフトアップ２２５，２２６は記録紙積載部２２３，２２４に積載収納されている記録紙を給送ローラ２２９，２３２の位置まで持ち上げるよう制御されている。また、給送ローラ２２９，２３２は図示せぬモータにより駆動され、重送しないよう記録紙積載部２２３，２２４のどちらか一方から記録紙を給送するように制御されている。
【００２８】
記録紙積載部２２３から給送された記録紙は給送ローラ２３０，２３５を介しレジストローラ２３８まで給送され、記録紙積載部２２４から給送された記録紙は給送ローラ２３３，２３４，２３５を介しレジストローラ２３８まで給送される。
【００２９】
なお、記録紙積載部２２４の下方にさらに記録紙積載部を設けた場合は、給送ローラ２３１により記録紙を給送する。また、給送ローラ２３６は図のように手差しトレー２３７を開いて手差し給紙する場合に、記録紙をレジストローラ２３８まで給送する。
【００３０】
レジストローラ２３８は、感光体２４０に形成された画像と画像先端のタイミングをあわせて記録紙を給送する。
【００３１】
転写帯電器２３９は、感光体２４０に現像されたトナー像を記録紙に転写する。転写後、感光体２４０に残ったトナーはクリーナ２２７により除去される。また、除電針２４４に電圧をかけ、感光体２４０と記録紙との間の吸着力を弱めることで、感光体２４０から記録紙を分離し易くしている。
【００３２】
感光体２４０から分離された記録紙は搬送ベルト２４１を介し定着部２１２，定着部ローラ２１３に送られ、定着される。定着部２１２は、セラミック・ヒータ、及びフィルム、２つのローラで構成されている。
【００３３】
冷却ローラ２１４は、定着部ローラ２１３を放熱する。給送ローラ２１５は、大ローラ１個と小ローラ２個から構成されており、記録紙の巻き癖を補正し、記録紙を給送する。
【００３４】
片面印刷の場合は、排紙口方向に方向フラッパ２２２を切り替え、排紙ローラ２１６を介して排紙トレー２４２に記録紙を積載排紙する。両面印刷の場合は、給送ローラ２１７に記録紙を送れるよう方向フラッパ２２２を切り替える。
【００３５】
給送ローラ２１７は給送ローラ２１５と同様な構成であり、記録紙の巻き癖を補正し、中間トレー２４３に記録紙を給送する。
【００３６】
なお、紙詰まり等のエラー検知や各部動作のタイミングを計る為に、不図示の紙検出センサが記録紙の給送路に配置されている。
【００３７】
第１のセンサ２５０は給送ローラ２３５の手前、第２のセンサ２５１はレジストローラ２３８の手前、第３のセンサ２５２は給送ローラ２１５の手前、第４のセンサ２５３は給送ローラ２１６と排出口との間、第５のセンサ２５４は給送ローラ２１７の直後、第６のセンサ２５５は分離レバー２２０の手前に配置されている。
【００３８】
＜操作部概観＞
図３は、図１に示した操作部１０００の構成の一例を説明する平面図である。
【００３９】
図３において、３００はコピースタートキーで、複写動作を開始させる時に押下する。３０１はストップキーで、コピーをストップ（中止，中断）するときに押下する。３０２はクリアキーで、入力された数値をクリアするときに押下する。
【００４０】
３０４はガイドキーで、複写装置１００，図１に示したフィーダ（ＲＤＦ）１０５，ソータ１０６等が有する各機能の説明を必要とするときに押下する。３０５はオペレータメモリキーで、複写装置２００，フィーダ１０５，ソータ１０６等の仕様や状態などを設定するときに押下する。オペレータモード内には、お好み機能設定（２種類），仕様設定，タイマ設定，調整／クリーニングがある。
【００４１】
３０６は割り込みキーで、コピー中に割り込んでコピーを行いたいときに押下する。３０７は予熱キーで、予熱モードに移行したいときや、予熱モードから復帰したいときに押下する。３０８はリセットキーで、複写モードを標準複写モードに戻したいときに押下する。３０９はテンキー群で、数値の入力、例えば倍率の各種設定，コピー部数等の機器動作の指定の入力等に使用する。
【００４２】
３１０は液晶表示操作部で、複合機の搭載する各機能に対応する表示や機器の状態を表示するものであり、例えば複写装置２００，フィーダ１０５，ソータ１０６等の状態や、複写モードの設定状況を表示し、表示されたソフトキーをタッチすることにより、この表示される画面が変化，遷移し、複写モードの設定操作等を行えるようになっている。
【００４３】
図４は、図３に示した液晶表示操作部３１０にコピーの標準画面が表示されている場合の模式図である。
【００４４】
図４において、４０１はテンキー入力表示であり、テンキー群３０９が押下された場合には、制御部１００は、前記押下されたテンキーに対応する値を４０１に表示制御する。なお、テンキー入力表示４０１は、図４に示すように、液晶表示操作部３１０にコピーの標準画面が表示されている場合には、コピー部数を示す表示に対応する。
【００４５】
以下、図５，図６を用いて、本実施形態の複写装置が実際どのように動作を行うか従来の複写装置の動作と比較して説明する。
【００４６】
現在、コピーの標準画面が表示されており、初期状態であったとする（図４）。
【００４７】
＜＜従来の動作＞＞
まず、従来の複写装置の動作から説明する。
【００４８】
図５は、従来の複写装置における制御処理動作を示すフローチャートであり、Ｓ１０１〜Ｓ１０７は各ステップを示す。なお、複写装置は、テンキーによる数値入力中かどうかを制御部が判断するための判断情報としてのフラグを制御部内のＲＡＭ等に記憶しているものとする。初期状態の場合、このフラグは立っていない（制御部がＯＦＦにセットする）。また、設定を行ったあとに、画面遷移を行って標準画面が表示された場合やリセットキーが押下された場合には、入力フラグは落ちる（制御部がリセットしＯＦＦとなる）。
【００４９】
まず、このような状態（初期状態等）の時を前提にして説明する。
【００５０】
制御部が、テンキー群のいずれかが操作者に押下されたことを検知すると（ステップＳ１０１）、ステップＳ１０２において、制御部は、ＲＡＭ内に記憶されたフラグが立っている（ＯＮ）かどうかを判定することにより、ステップＳ１０１でテンキー入力検知される前に既にテンキーによる数値入力中かどうかを判断する。なお、上述した初期状態等の時点では、フラグは立っていないためステップＳ１０３に進む。
【００５１】
次に、ステップＳ１０３において、制御部は、押下されたテンキーが「０」であると判定した場合には、そのテンキーの入力を無効とし、ＲＡＭ内のフラグは立てず（ＯＦＦのままとし）（Ｓ１０４）、処理を終了し、新たな入力を待機する。
【００５２】
一方、ステップＳ１０３で、制御部は、押下されたテンキーが「１」〜「９」であると判定した場合には、ステップＳ１０５において、現在、操作部に表示されているコピー部数やボックスの番号等の機能画面に対応するテンキー入力表示を無効とし、押下されたテンキーに対応する値を前記テンキー入力表示の一番低い位に表示させるように表示部の表示を制御し、制御部内のＲＡＭに記憶されるフラグを立てて（ＯＮにして）、処理を終了し、新たな入力を待機する。
【００５３】
次に、この状態で再度、テンキーの押下を行った場合について説明する。この場合、制御部は、テンキーが押下されたと判定し（Ｓ１０１）、次に、ＲＡＭ内に記憶されたフラグが立っている（ＯＮ）かどうかを判定する（Ｓ１０２）。上述したステップＳ１０５後の状態では、フラグが立っているためステップＳ１０６に進む。
【００５４】
ステップＳ１０６において、制御部は、入力されたテンキーが「０」〜「９」であると判定した場合には、現在、操作部に表示されているコピー部数やボックスの番号等の機能画面に対応するテンキー入力表示の値について位（桁）をひとつずつ上げ、入力された値を一番低い位（一の位）に表示させるように制御し、処理を終了し、新たな入力を待機する。なお、制御部は、部数の上限の位に達した場合は、一番高い位の値は切り捨てて表示させるように表示部の表示を制御する。
【００５５】
一方、ステップＳ１０６で、制御部が、入力されたテンキーが「０」〜「９」でないと判定した場合には、そのまま処理を終了し、新たな入力を待機する。
【００５６】
＜＜第１実施形態の動作＞＞
次に、第１実施形態の動作について説明を行う。
【００５７】
図６は、本実施形態の複写装置における第１の制御処理動作を示すフローチャートであり、Ｓ２０１〜Ｓ２０７は各ステップを示す。このフローチャートの処理は、図１に示したＣＰＵ１０２がＲＯＭ等に格納されたプログラムをＲＡＭ上にロードして実行することにより実行される。
【００５８】
なお、複写装置２００は、テンキーによる数値入力中かどうかをＩＰ部１０１のＣＰＵ１０２が判断するための判断情報としての入力フラグをＩＰ部１０１内の図示しないＲＡＭ等に記憶しているものとする。初期状態の場合、この入力フラグは立っていない（ＣＰＵ１０２がＯＦＦにセットする）。また、設定を行ったあとに、画面遷移を行って操作部１０００に標準画面が表示された場合やリセットキー３０８が押下された場合には、入力フラグは落ちる（ＣＰＵ１０２がリセットしＯＦＦとする）。
【００５９】
本実施形態では、入力フラグが立っていないとき（入力フラグがＯＦＦのとき）のテンキー「０」の入力に着目をする。
【００６０】
例えば、初期状態で部数の値を入力する場合に「０」を押下することは考えにくい。ファクシミリ番号の入力では、「０」発信や市外局番によって「０」から入力を行うことが多い。
【００６１】
そのため、ＣＰＵ１０２は、入力フラグが立っていない場合、かつ「０」が入力された場合は、ファクシミリ番号入力画面に切り替えるように操作部１０００の表示を制御するものとする。
【００６２】
この時、ユーザにファクシミリ番号入力画面に切り替えるか問い合わせるように制御するか、問い合わせを行わずファクシミリ番号入力画面に切り替えるように制御するかを、ＩＰ部１０１内の図示しない不揮発性メモリ等に記憶される管理者設定もしくは個人設定等で行うように構成してもよい。
【００６３】
以下、図６の各ステップについて詳細に説明する。
【００６４】
まず、ステップＳ２０１において、ＣＰＵ１０２が、テンキー群３０９のいずれかのテンキーが押下されたことを検知すると、ステップＳ２０２において、ＩＰ部１０１内の図示しないＲＡＭに記憶される入力フラグが立っている（ＯＮとなっている）か否かを判定することにより、ステップＳ２０１でテンキー入力検知される前に既にテンキーによる数値入力中であったかどうかを判断する。
【００６５】
ステップＳ２０２において、ＣＰＵ１０２は、入力フラグが立っていない（ＯＦＦである）と判定した場合（例えば、初期状態等の場合のようにステップＳ２０１でテンキー入力が検知される前はテンキーによる数値入力中でなかった場合）には、ステップＳ２０３に進む。
【００６６】
次に、ステップＳ２０３において、ＣＰＵ１０２は、ステップＳ２０１で押下されたことが検知されたテンキーは「０」か或いは「１」〜「９」かを判定する。
【００６７】
そしてステップＳ２０３で、ＣＰＵ１０２は、ステップＳ２０１で押下されたことが検知されたテンキーが「０」であると判定した場合には、ステップＳ２０４で、ファクシミリ番号の入力であると判断して、図３に示した操作部１０００の液晶表示操作部３１０の表示をファクシミリ番号入力画面（図７）に移行表示させるように表示制御し、処理を終了し、新たな入力を待機する。
【００６８】
即ち、ＣＰＵ１０２は、操作部１０００の液晶表示操作部３１０にファクシミリ送信機能以外の機能に対応する操作画面（コピー機能画面，ボックス機能画面）が表示され且つテンキーによる数値入力中でない状態において、テンキーにより特定の数値「０」が入力されると、操作部１０００の液晶表示操作部３１０の表示をファクシミリ送信機能に対応する操作画面であるファクシミリ番号入力画面へ表示を切り替えさせてテンキーによるファクシミリ番号を入力可能に制御する。
【００６９】
図７は、図３に示した液晶表示操作部３１０にファクシミリ番号入力画面が表示されている場合の模式図である。
【００７０】
図７において、７０１はテンキー入力表示であり、テンキー群３０９のいずれかが押下された場合には、制御部１００は、前記押下されたテンキーに対応する値を７０１に表示制御する。なお、テンキー入力表示７０１は、図７に示すように、液晶表示操作部３１０にファクシミリ番号入力画面が表示されている場合には、ファクシミリ送信番号を示す表示に対応する。
【００７１】
なお、このファクシミリ番号入力画面では、ファクシミリ番号入力後にコピースタートキー３００を押下することにより、そのままファクシミリ送信を行うことができる。
【００７２】
この画面遷移について、図８を参照して説明する。
【００７３】
図８は、本発明の第１実施形態において、ファクシミリ機能画面以外の操作画面が表示されている状態においてユーザによりテンキーで「０」が入力された場合の画面遷移を説明するための模式図である。
【００７４】
例えば、図８に示すように、現在、コピーの標準画面が表示され、テンキー入力されていない状態とする。
【００７５】
この状態で「０」をテンキー入力した場合、ＣＰＵ１０２により表示制御され、ファクシミリ番号入力画面（図７）が表示される。そして、このままファクシミリ番号をテンキー入力し、ファクシミリ送信することが可能となるよう制御する（例えば、「０」が入力されたことに応答し、ＣＰＵ１０２は、コピー機能からファクシミリ機能に動作を切り替えるよう制御する共に、表示部の表示内容も、コピー機能の操作画面からファクシミリ機能の操作画面に切り替えるよう制御して、ユーザによる数値「０」のテンキー入力後に当該ファクシミリ機能の操作画面を介して引き続きテンキー入力された数値（電話番号データ）に対応する電話番号に対応する送信先の外部装置に、入力原稿画像データをファクシミリ送信するよう制御する）。
【００７６】
一方、上記コピー機能の操作画面を表示した状態で、ユーザにより「０」以外のテンキーによる数値入力がなされた場合、例えば、「８」がユーザにより押下された場合、ＣＰＵ１０２は、上述のようなファクシミリ機能への移行及びファクシミリ番号入力画面への画面遷移を禁止し、該コピー機能の選択状態を維持し、且つ、この設定は、コピー機能の為の設定であると判断して、コピー機能の操作画面の表示を維持して、該キー入力による数値入力に従ったコピー機能を実行可能に制御する。例えば、上記コピー機能の操作画面を表示した状態でテンキーにより「８」が入力されたこを受け、表示部に部数８を表示させる。
【００７７】
そして、ユーザによりスタートキー２００が押下された場合、これを受け、ＣＰＵ２０１は、コピー機能として、スキャナ１１９にセットされた原稿画像を読み取って、該原稿画像をＨＤ３０６等のメモリに格納し、該メモリに格納した画像情報を用いて、該コピー機能画面においてユーザにより設定された出力条件（両面印刷やステイプル設定や編集処理設定等）に従った出力形態で、複写装置２００のプリント部による印刷動作を実行させる。尚且つ、操作部で設定された出力部数分、即ち、８部数分、コピー機能における印刷動作を繰り返すべく、上記ＨＤ３０６の原稿画像データを用いた印刷処理をコピー機能下にて実行するよう制御する。
【００７８】
以下、図６のフローチャートの説明に戻る。
【００７９】
一方、ステップＳ２０３で、ＣＰＵ１０２は、ステップＳ２０１で押下されたことが検知されたテンキーが「１」〜「９」であると判定した場合には、ファクシミリ番号以外の入力であると判断して、現在、液晶表示操作部３１０に表示されているコピー部数やボックスの番号等の機能画面に対応するテンキー入力表示４０１を無効とし、押下されたテンキーに対応する値を液晶表示操作部３１０に表示されるコピー部数やボックスの番号等の機能画面に対応するテンキー入力表示４０１の一番低い位に表示させるように表示制御し、ＩＰ部１０１内の図示しないＲＡＭに記憶される入力フラグを立てて（ＯＮにセットし）、処理を終了し、新たな入力を待機する。
【００８０】
一方、ステップＳ２０２において、ＣＰＵ１０２は、ＩＰ部１０１内の図示しないＲＡＭに記憶される入力フラグが立っていると判定した場合（例えば、ステップＳ２０５の実行後）には、ステップＳ２０１でテンキー入力検知される前に既にテンキーによる数値入力中であったと判断し、ステップＳ２０６に進む。
【００８１】
ステップＳ２０６において、ＣＰＵ１０２は、ステップＳ２０１で押下されたことが検知されたテンキーが「０」〜「９」であるか否かを判定し、ステップＳ２０１で押下されたことが検知されたテンキーが「０」〜「９」であると判定した場合には、ステップＳ２０７で、現在、操作部１０００の液晶表示操作部３１０に表示されている値の位をひとつずつ上げて、入力された値は一番低い位に表示されるように表示制御し、処理を終了し、新たな入力を待機する。
【００８２】
一方、ステップＳ２０６で、ＣＰＵ１０２は、ステップＳ２０１で押下されたことが検知されたテンキーが「０」〜「９」でないと判定した場合には、そのまま処理を終了し、新たな入力を待機する。
【００８３】
以上説明したように、本実施形態の複合機としての複写装置２００は、ファクシミリ送信機能を含む複数の機能（コピー機能，ボックス機能，ファクシミリ送信機能等）と、前記各機能に対応する操作画面を表示する液晶表示操作部３１０と、前記液晶表示操作部３１０に表示された前記各機能に対応する操作画面に応じた数値の入力を行うテンキー群３０９とを有し、ＣＰＵ１０２は、前記液晶表示操作部３１０に前記ファクシミリ送信機能以外の機能に対応する操作画面（例えば、コピー機能画面，ボックス機能画面）が表示され且つテンキー群３０９による数値入力中でない状態で、前記テンキー群３０９により特定の数値「０」が入力された場合、前記液晶表示操作部３１０の操作画面の表示をファクシミリ送信機能に対応する操作画面であるファクシミリ番号入力画面へ表示を切り替えさせて前記テンキー群３０９によるファクシミリ番号を入力可能に制御する。
【００８４】
また、複写装置２００は、テンキー群３０９による数値入力中であるか否かを判断するための判断情報としての入力フラグを記憶するＲＡＭをＩＰ部１０１内に有し、ＣＰＵ１０２は、前記ＲＡＭに記憶される入力フラグに基づいてテンキー群３０９による数値入力中であるか否かを判断し、また、初期状態時又は前記表示手段に表示される操作画面の表示切り替え時に、前記ＲＡＭに記憶される入力フラグを数値入力中でない状態に設定し、さらに、テンキー群３０９により前記特定の数値「０」以外の数値「１」〜「９」が入力された場合、前記ＲＡＭに記憶される入力フラグを数値入力中の状態に設定する。
【００８５】
従って、本実施形態の複写装置２００は、ＣＰＵ１０２が、現在、テンキー群３０９による数値入力中であるか否かを判定し、数値入力中の場合は記憶手段に記憶される入力フラグをオンに設定し、初期状態や他の画面に遷移した場合には前記記憶手段に記憶される入力フラグをオフに設定し、ＩＰ部１０１のＲＡＭに記憶される入力フラグがオフの場合に、テンキー群３０９で「０」が入力されたかどうか判断し、前記ＲＡＭに記憶される入力フラグがオフの場合にテンキー群３０９により「０」が入力されたと判断された場合、液晶表示操作部３１０の表示をファクシミリ番号入力画面に切り替え制御するので、従来からあるコピー機能画面では部数の入力、ボックス機能画面では保存するボックス番号の入力をテンキーで行う機能を損なうことなく、コピー機能画面，ボックス機能画面等のファクシミリ機能画面以外からの機能上からでもテンキー「０」入力によりファクシミリ番号入力画面を呼び出すことにより、画面切り替え操作等の煩雑な操作を行うことなく容易にファクシミリ操作を行うことができる。これにより、例えば、健常者だけでなく、例えば機械の操作が苦手なユーザや、弱視などで機能画面に切り替えを行うことが困難なユーザが、ファクシミリ送信を行う場合にどの機能画面からでもファクシミリ番号入力画面に切り替わるので利便性の向上が見込まれる。
【００８６】
〔第２実施形態〕
上記第１実施形態では、操作部１０００の液晶表示操作部３１０にコピー機能画面，ボックス機能画面等のファクシミリ機能画面以外の機能画面が表示された状態でテンキーが押下された場合、ＣＰＵ１０２は、テンキー「０」の押下に着目し、ＣＰＵ１０２が、ＲＡＭ内に記憶された入力フラグのＯＮ／ＯＦＦ状態に基づいてテンキーによる数値入力中でない（即ち、入力フラグが立っていない）状態でテンキー「０」が押下されたと判定した場合には、ＣＰＵ１０２が、ファクシミリ番号入力画面（図７）を操作部１０００の液晶表示操作部３１０に表示制御する構成について説明したが、本実施形態では、ファクシミリ機能画面以外の機能画面が表示された状態でテンキーが押下された場合、ＣＰＵ１０２は、テンキーにより有効桁数以上の数値入力が行われた場合に着目して、ファクシミリ番号入力画面（図７）を操作部１０００の液晶表示操作部３１０に表示制御する構成とする。
【００８７】
以下、この実施形態の複写装置が実際どのように動作を行うか、図９〜図１１を用いて従来の複写装置の動作と比較して説明する。
【００８８】
＜＜従来の動作＞＞
まず、従来の複写装置の動作から説明する。
【００８９】
従来の複写装置では、例えば、コピーの標準画面における部数の有効桁数が３桁であり、現在、「４３１」部とテンキー入力されているものとする。これに続いて「２」をテンキー入力した場合、コピーの標準画面におけるテンキー入力表示４０１は、「３１２」部と表示される。
【００９０】
さらに続いて、「３」をテンキー入力した場合は、コピーの標準画面におけるテンキー入力表示４０１は、「１２３」部と表示される。
【００９１】
このように、従来では、現在表示されているテンキー入力表示の値の位が１つずつ上がり、新たにテンキー入力された値は一番低い位に入力表示される。
【００９２】
＜＜第２実施形態の動作＞＞
次に、第２実施形態の動作について説明を行う。
【００９３】
図９は、本実施形態の複写装置における第２の制御処理動作を示すフローチャートであり、Ｓ３０１〜Ｓ３１２は各ステップを示す。このフローチャートの処理は、図１に示したＣＰＵ１０２がＲＯＭ等に格納されたプログラムをＲＡＭ上にロードして実行することにより実行される。
【００９４】
なお、複写装置２００は、テンキーによる数値入力中かどうかをＩＰ部１０１のＣＰＵ１０２が判断するための判断情報としての入力フラグ、およびテンキーによる数値入力が入力可能桁（有効桁数）に達したかどうかをＩＰ部１０１のＣＰＵ１０２が判断するための判断情報としての桁繰り上げフラグをＩＰ部１０１内の図示しないＲＡＭ等に記憶しているものとする。初期状態の場合、この入力フラグ，桁繰り上げフラグは立っていない（ＣＰＵ１０２がＯＦＦにセットする）。また、設定を行ったあとに、画面遷移を行って操作部１０００に標準画面が表示された場合やリセットキー３０８が押下された場合には、入力フラグ，桁繰り上げフラグは落ちる（ＣＰＵ１０２がリセットしＯＦＦとする）。
【００９５】
本実施形態では、入力フラグが立っているとき、有効桁数以上の入力が行なわれた場合（桁繰り上げフラグがＯＮ）に着目をする。
【００９６】
例えば、入力部数や格納を行うボックス番号の修正などを行う場合、上述した従来の動作のように、有効桁数以上の数字を続けてテンキー群３０９で入力して修正する操作は、ハードキーのクリアキー３０２を押下して削除した後に、テンキー群３０９で新しく入力する操作に比べ、逆に手間がかかってしまう。
【００９７】
そこで、本実施形態では、このような従来の動作の代わりに、有効桁数以上のテンキー入力が行なわれた場合、ＣＰＵ１０２が操作部１０００の表示を図７に示したファクシミリ番号入力画面に切り替えるように制御する構成とする。
【００９８】
この時、上記第１実施形態と同様に、ユーザにファクシミリ番号入力画面に切り替えるかユーザに問い合わせるように制御するか、問い合わせを行わずファクシミリ番号入力画面に切り替えるように制御するかを、ＩＰ部１０１内の図示しない不揮発性メモリ等に記憶される管理者設定もしくは個人設定等で行うように構成してもよい。
【００９９】
なお、上記有効桁数は、各機能に対応する操作画面毎に予め決定されている入力可能桁である。
【０１００】
以下、図９の各ステップについて詳細に説明する。
【０１０１】
まず、ステップＳ３０１において、ＣＰＵ１０２が、テンキー群３０９のいずれかのテンキーが押下されたことを検知すると、ステップＳ３０２において、ＩＰ部１０１内の図示しないＲＡＭに記憶される入力フラグが立っている（ＯＮとなっている）か否かを判定することにより、ステップＳ３０１でテンキー入力検知される前に既にテンキーによる数値入力中であったかどうかを判断する。
【０１０２】
ステップＳ３０２において、ＣＰＵ１０２は、入力フラグが立っていない（ＯＦＦである）と判定した場合（例えば、初期状態等の場合のようにステップＳ３０１でテンキー入力検知される前にはテンキーによる数値入力中でなかった場合）には、ステップＳ３０３に進む。
【０１０３】
次に、ステップＳ３０３において、ＣＰＵ１０２は、ステップＳ３０１で押下されたことが検知されたテンキーは「０」か或いは「１」〜「９」かを判定する。
【０１０４】
そしてステップＳ３０３で、ＣＰＵ１０２は、ステップＳ３０１で押下されたことが検知されたテンキーが「０」であると判定した場合には、ステップＳ３０４で、そのテンキーの入力を無効とし、ＲＡＭ内のフラグは立てず（ＯＦＦのままとし）、処理を終了し、新たな入力を待機する。
【０１０５】
一方、ステップＳ３０３で、ＣＰＵ１０２は、ステップＳ３０１で押下されたことが検知されたテンキーが「１」〜「９」であると判定した場合には、ステップＳ３０５で、ファクシミリ番号以外の入力であると判断して、現在、液晶表示操作部３１０に表示されているコピー部数やボックスの番号等の機能画面に対応するテンキー入力表示４０１を無効とし、押下されたテンキーに対応する値を液晶表示操作部３１０に表示されるコピー部数やボックスの番号等の機能画面に対応するテンキー入力表示４０１の一番低い位に表示させるように表示制御し、ＩＰ部１０１内の図示しないＲＡＭに記憶される入力フラグを立てて（ＯＮにセットし）、処理を終了し、新たな入力を待機する。
【０１０６】
一方、ステップＳ３０２において、ＣＰＵ１０２は、ＩＰ部１０１内の図示しないＲＡＭに記憶される入力フラグが立っていると判定した場合（例えば、ステップＳ３０５の実行後）には、ステップＳ３０１でテンキー入力検知される前に既にテンキーによる数値入力中であったと判断し、ステップＳ３０６に進む。
【０１０７】
ステップＳ３０６において、ＣＰＵ１０２は、ＩＰ部１０１内の図示しないＲＡＭに記憶される桁繰り上げフラグが立っている（ＯＮとなっている）か否かを判定して既に入力可能桁数に達しているか否かを判断し、桁繰り上げフラグが立っていない（ＯＦＦである）と判定した場合には、ステップＳ３０７に進む。
【０１０８】
次に、ステップＳ３０７において、ＣＰＵ１０２は、ステップＳ３０１で押下されたことが検知されたテンキーが「０」〜「９」であるか否かを判定し、テンキーが「０」〜「９」でないと判定した場合には、そのまま処理を終了し、新たな入力を待機する。
【０１０９】
一方、ステップＳ３０７で、ＣＰＵ１０２が、ステップＳ３０１で押下されたことが検知されたテンキーが「０」〜「９」であると判定した場合には、ステップＳ３０８で、現在、操作部１０００の液晶表示操作部３１０のテンキー入力表示４０１に表示されている値の位をひとつずつ上げて、入力された値は一番低い位に表示されるように表示制御し、ステップＳ３０９に進む。
【０１１０】
次に、ステップＳ３０９において、ＣＰＵ１０２は、ステップＳ３０１で押下されたことが検知されたテンキー入力により入力可能桁数に達したか否かを判断し、未だ入力可能桁数に達していないと判定した場合には、そのまま処理を終了し、新たな入力を待機する。
【０１１１】
一方、ステップＳ３０９で、ＣＰＵ１０２が、ステップＳ３０１で押下されたことが検知されたテンキー入力により入力可能桁数に達したと判定した場合には、ステップＳ３１０において、ＣＰＵ１０２は、ＩＰ部１０１内の図示しないＲＡＭに記憶される桁繰り上げフラグを立て（ＯＮにセットし）、処理を終了し、新たな入力を待機する。
【０１１２】
一方、ステップＳ３０６で、ＣＰＵ１０２が、ＩＰ部１０１内の図示しないＲＡＭに記憶される桁繰り上げフラグが立っている（ＯＮとなっている）と判定した場合（既に入力可能桁数に達していると判断した場合）には、ステップＳ３１１に進む。
【０１１３】
次に、ステップＳ３１１において、ＣＰＵ１０２は、当該テンキー入力はファクシミリ番号の入力であると判断して、図３に示した操作部１０００の液晶表示操作部３１０の表示をファクシミリ番号入力画面（図７）に移行表示させるように表示制御し、ステップＳ３１２において、これまで（入力可能桁数を越えるまで）連続して入力された値をファクシミリ番号入力画面のテンキー入力表示７０１に表示させるように表示制御し、処理を終了し、新たな入力を待機する。
【０１１４】
即ち、ＣＰＵ１０２は、操作部１０００の液晶表示操作部３１０に、ファクシミリ送信機能以外の機能に対応する操作画面（コピー機能画面，ボックス機能画面）が表示され、テンキーにより入力可能桁数を越える桁数の数値が入力されると、液晶表示操作部３１０の表示をファクシミリ送信機能に対応する操作画面であるファクシミリ番号入力画面へ表示を切り替えさせてテンキーによるファクシミリ番号を入力可能に制御する。なお、このとき、ＣＰＵ１０２は、テンキーにより入力された前記入力可能桁数を越える桁数の数値を、液晶表示操作部３１０に表示されるファクシミリ番号入力画面へ表示させて、該入力可能桁数を越える桁数の数値に続けてテンキーによりファクシミリ番号を入力することを可能に制御する。
【０１１５】
以下、図１０を参照して、有効桁数以上テンキー入力された場合の画面遷移について示す。
【０１１６】
図１０は、本発明の第２実施形態において、ファクシミリ機能画面以外から有効桁数以上テンキー入力された場合の画面遷移を説明するための模式図である。
【０１１７】
例えば、コピーの標準画面における部数の有効桁数が３桁であり、図１０に示すように、現在、「３」，「２」，「８」とテンキー入力され、コピーの標準画面のテンキー入力表示４０１に「３２８」部と表示されているものとする。
【０１１８】
これに続いて「７」をテンキー入力した場合、ＣＰＵ１０２により表示制御され、ファクシミリ番号入力画面が表示され、これまで入力された値「３２８」及び「７」がファクシミリ番号入力画面に表示される。そして、これに続けてファクシミリ番号をテンキー入力し、ファクシミリ送信することが可能となる。
【０１１９】
以上説明したように、本実施形態の複写装置２００は、ファクシミリ送信機能を含む複数の機能（コピー機能，ボックス機能，ファクシミリ送信機能等）と、前記各機能に対応する操作画面を表示する液晶表示操作部３１０と、前記液晶表示操作部３１０に表示された前記各機能に対応する操作画面に応じた数値の入力を行うテンキー群３０９とを有し、ＣＰＵ１０２は、前記液晶表示操作部３１０に、前記ファクシミリ送信機能以外の機能に対応する操作画面（例えば、コピー機能画面，ボックス機能画面）が表示され、テンキー群３０９により所定の桁を越える数値が入力された場合、前記液晶表示操作部３１０の操作画面の表示をファクシミリ送信機能に対応する操作画面であるファクシミリ番号入力画面へ表示を切り替えさせて前記数値入力手段によるファクシミリ番号を入力可能に制御する。
【０１２０】
さらに、ＣＰＵ１０２は、この時、前記テンキー群３０９により入力された所定の桁を越える数値を、前記ファクシミリ番号入力画面へ表示させて前記数値入力手段によるファクシミリ番号を入力可能に制御する。
【０１２１】
従って、本実施形態の複写装置２００は、ＣＰＵ１０２が、現在、テンキー群３０９による数値入力中である数値が予め決定されている有効桁数と等しいか否かを判定し、前記テンキー群３０９による数値入力中である数値の桁数が有効桁数と等しい場合はＩＰ部１０１のＲＡＭに記憶される桁繰り上げフラグをオンに設定し、前記テンキー群３０９により入力された数値が削除された場合や初期状態や他の画面に遷移した場合には前記ＲＡＭに記憶される桁繰り上げフラグをオフに設定する入力フラグ切り替え、さらに、ＣＰＵ１０２が、前記ＲＡＭに記憶される桁繰り上げフラグがオンの場合に、前記テンキー群３０９で数値が入力されたかどうか判断し、前記ＲＡＭに記憶される桁繰り上げフラグがオンの場合に前記入力部で数値が入力されたと判定した場合、前記液晶表示操作部３１０の表示をファクシミリ番号入力画面に切り替え制御するので、従来からあるコピー機能画面では部数の入力、ボックス機能画面では保存するボックス番号の入力をテンキーで行う機能を損なうことなく、コピー機能画面，ボックス機能画面等のファクシミリ機能画面以外からの機能上からでもいきなりファクシミリ番号をテンキー入力することにより、該テンキー入力が入力可能桁数を越えた時点で、ＣＰＵ１０２がファクシミリ番号入力画面を呼び出して入力済みのファクシミリ番号を表示して、引き続きファクシミリ番号を入力可能に制御することにより、画面切り替え操作等の煩雑な操作を行うことなく容易にファクシミリ操作を行うことができる。これにより、例えば、健常者だけでなく、機械の操作が苦手なユーザや、弱視などで機能画面に切り替えを行うことが困難なユーザが、ファクシミリ送信を行う場合にどの機能画面からでもファクシミリ番号入力画面に切り替わるので利便性の向上が見込まれる。
【０１２２】
なお、上記第１，２実施形態では、数値入力をハードキーであるテンキー群３０９で行う構成について説明したが、この形態に限られるものではなく、操作部１０００の液晶表示操作部３１０に数値入力可能なソフトキーを表示し、該ソフトキーにより数値入力するように構成してもよい。
【０１２３】
また、上記第１実施形態および第２実施形態を合わせた構成、即ち、ＣＰＵ１０２は、操作部１０００の液晶表示操作部３１０にファクシミリ送信機能以外の機能に対応する操作画面（コピー機能画面，ボックス機能画面）が表示され且つテンキーによる数値入力中でない状態において、テンキーにより特定の数値「０」が入力されると、操作部１０００の液晶表示操作部３１０の表示をファクシミリ送信機能に対応する操作画面であるファクシミリ番号入力画面へ表示を切り替えさせてテンキーによるファクシミリ番号を入力可能に制御し、また、ＣＰＵ１０２は、操作部１０００の液晶表示操作部３１０に、ファクシミリ送信機能以外の機能に対応する操作画面（コピー機能画面，ボックス機能画面）が表示され、テンキーにより入力可能桁数を越える桁数の数値が入力されると、液晶表示操作部３１０の表示をファクシミリ送信機能に対応する操作画面であるファクシミリ番号入力画面へ表示を切り替えさせてテンキーによるファクシミリ番号を入力可能に制御する構成も本発明に含まれるものである。
【０１２４】
又、上述の第１、第２実施形態の論理和的構成或いは論理積構成の何れかの場合においても、ＣＰＵ１０２は以下のように制御する。
【０１２５】
例えば、液晶表示操作部３１０にファクシミリ機能の操作画面以外の操作画面（例えば、コピー機能の操作画面やボックス機能の操作画面）を表示している状態で、ユーザにより特定の数値「０」が入力された場合（第１実施形態参照。尚、これを、第１判断条件を満たした場合と称す。）に、及び／又は、テンキーにより入力可能桁数を越える桁数の数値が入力された場合（第２実施形態参照。尚、これを、第２判断条件を満たした場合と称す。）に、ＣＰＵ１０２は、選択すべき機能として、上記第１判断条件及び／または第２判断条件におけるユーザによる上記テンキー入力の直前に液晶表示操作部３１０に表示していた機能（コピー機能の操作画面を表示していたらならばコピー機能。ボックス機能の操作画面を表示していたらボックス機能。）からファクシミリ機能へと自動的に切り替えるよう制御する（ここでいう、自動的にとは、ユーザがファクシミリ機能への切り替えを明示的に行う為の図４の液晶表示操作部３１０の上部に表示させたファクシミリ機能のタブボタンをユーザが押下する事無く、ＣＰＵ１０２が上記のような判断結果に従って切り替えることを言う）。
【０１２６】
そして、液晶表示操作部３１０の表示内容もファクシミリ機能の操作画面に自動的に切り替えるよう制御する。そして、ＣＰＵ１０２の制御のもと自動的に切り替えたファクシミリ機能の操作画面を介して上記の如く、送信先となる外部装置の送信先情報がテンキーで入力され（この例では電話番号）、スタートキー３００が押下された場合、該テンキー入力によりセットされた情報に対応した送信先の外部装置に対して原稿画像データをデータ送信するよう制御する。
【０１２７】
一方、液晶表示操作部３１０にファクシミリ機能の操作画面以外の操作画面（例えば、コピー機能の操作画面やボックス機能の操作画面）を表示している状態で、上記第１判断条件を満たしていないと判断した場合（例えば、「０」以外のテンキー入力がなされた場合）、及び／又は、上記第２判断条件を満たしていないと判断した場合（例えば、テンキーにより入力可能桁数を越えない範囲での桁数の数値入力がなされた場合）、ＣＰＵ１０２は、上記ファクシミリ機能への切り替えを禁止し、且つ、液晶表示操作部３１０におけるファクシミリ機能の操作画面への画面遷移を禁止して、現在表示対象の機能を維持し、且つ、該機能の操作画面でのキー入力を含む各種のユーザ操作による処理条件の設定を引き続き可能とし、該機能下での該機能の操作画面を介してユーザにより設定された処理条件に従った出力動作を当該複写装置により実行可能に制御する。
【０１２８】
例えば、コピー機能の操作画面を表示した状態で、ユーザによりテンキーにより「１」が数値入力されて、次に「２」がテンキー入力された場合、ＣＰＵ１０２は、コピー機能からファクシミリ機能への移行を禁止し且つコピー機能の操作画面からファクシミリ機能の操作画面への自動遷移を禁止し、該コピー機能の選択状態を維持し、且つ、この設定は、コピー機能の為の設定であると判断して、コピー機能の操作画面の表示を維持して、該キー入力による数値入力に従ったコピー機能を実行可能に制御する。
【０１２９】
そして、例えば、上記コピー機能の操作画面を表示した状態でテンキーにより「１」の入力及び次いで「２」の入力を受け、液晶表示操作部３１０に出力部数として「１２」を表示させる。そして、ユーザによりスタートキー２００が押下された場合、これを受け、ＣＰＵ２０１は、コピー機能として、スキャナ１１９にセットされた原稿画像を読み取って、該原稿画像をＨＤ３０６等のメモリに格納し、該メモリに格納した画像情報を用いて、該コピー機能画面においてユーザにより設定された出力条件（両面印刷やステイプル設定や編集処理設定等）に従った出力形態で、複写装置２００のプリント部による印刷動作を実行させる。尚且つ、操作部で設定された出力部数分、即ち、１２部数分、コピー機能における印刷動作を繰り返すべく、上記ＨＤ３０６の原稿画像データを用いた印刷処理をコピー機能下にて実行するよう制御する。
【０１３０】
又、液晶表示操作部３１０にファクシミリ機能の操作画面以外の操作画面として、ボックス機能の操作画面を表示している状態での制御例について図１１を用いて説明する。尚、ボックス機能とは当該複写装置が具備する機能であり、該複写装置のＨＤ３０６等の複数の画像データを格納可能なメモリ部を用いた機能であり、該ＨＤ３０６の所定の領域をボックス領域として予め利用可能にし、且つ、該ボックス領域を本複写装置を利用する複数のユーザの各ユーザ毎に使用する領域（単にボックスとも呼ぶ）に細分化し、スキャナ１１９を介して入力した一連の原稿画像データ（単に、文書データやジョブデータとも呼ぶ。）及び／又は、ホストコンピュータ５０１等の外部装置から受信した一連の原稿画像データを、ユーザの所望とする指定したユーザボックスに格納保存させておき、記憶処理が完了後、ユーザが操作部１０００を介して所望のボックスを選択し、且つ、該選択したボックス内の複数のジョブの中から所望のジョブを選択して、該選択したジョブを例えば、プリンタ部により所望の出力条件（出力部数、両面／片面の設定、ステイプル等のソートモード設定、等の各種の設定）でもって印刷可能にする機能である。
【０１３１】
図１１〜図１５の各操作画面は上記ボックス機能の操作画面である。図１１の操作画面は、本複写装置が具備するＨＤ３０６内の複数のボックスの中から所望のユーザボックスをユーザにより選択する為のボックス選択画面であり、画面左上のボックス番号ボタン（この例では、ボックス番号００の選択ボタンからボックス番号０６の選択ボタンの７つのボックス番号選択ボタンが存在する）はユーザにより押下可能とし、該ボックス番号ボタンを押下することで、所望のボックスを選択可能にしている。
【０１３２】
尚、図１１の操作画面は、例えば、図４の操作画面の上層部に表示しているボックス機能を選択する為のボックスタブがユーザにより押下された場合に、該ユーザ操作を受け、ＣＰＵ１０２が、液晶表示操作部３１０に表示可能に制御し、ＣＰＵ１０２は、図４の画面の「ボックスタブ」キーが押下されたことに応答し、選択機能をコピー機能からボックス機能に切り替え、且つ、液晶表示操作部３１０の表示内容を図１１の画面に遷移させる。そして、例えば、図１１の画面上にてユーザによりボックス番号「０１」のボタンが押下された場合、ＣＰＵ１０２は、図１２に示す如く、上記選択されたユーザボックスの操作画面を液晶表示操作部３１０に表示させる。
【０１３３】
図１２の操作画面は、例えば、該ボックスに格納されている複数のジョブ（文書データ等）から所望のジョブを選択可能に構成されている。そして、例えば、図１２の操作画面上の「ドキュメント１」がユーザによりタッチされると、これを受け、ＣＰＵ１０２は、ユーザによる文書の選択を確定し、例えば、図１３の操作画面を表示させる。
【０１３４】
尚、図１３の画面のように、ユーザにより選択された文書は反転表示され、他のジョブと区別して表示するよう制御している。そして、図１３の操作画面上の「プリント」キーがユーザにより押下された場合、液晶表示操作部３１０の表示内容を、図１４の操作画面に切り替えるようＣＰＵ１０２により制御する。本実施形態は、この図１４の操作画面を介して、本複写装置のＨＤ３０６内の図１１の操作画面で選択したボックス内に格納されている複数のジョブのうちの図１２の操作画面で選択したジョブに対する各種の出力条件の設定（出力部数、両面／片面の設定、ステイプル等のソートモード設定、等の各種の設定）をユーザに実行可能に構成している。
【０１３５】
以上のような制御・表示構成を前提とし、図１４のボックス機能の操作画面を液晶表示操作部３１０に表示している状態で、ユーザがテンキーを操作し、且つ、そのユーザによるテンキー操作が、上記第１判断条件を満たしたと判断した場合、及び／又は、上記第２判断条件を満たしたと判断した場合、ＣＰＵ１０２は、選択すべき機能として、現在状態のボックス機能から上記制御の如くファクシミリ機能に切り替えるよう制御し、且つ、液晶表示操作部３１０の表示内容を図１４のボックス機能の操作画面から図７のファクシミリ番号入力画面に切り替えるよう制御する。そして、上記の如く、ファクシミリ機能による番号入力を経て、ユーザにより所望の相手先に対する原稿画像データ（ジョブとも呼ぶ）の送信処理を実行するよう制御する。
【０１３６】
一方、図１４のボックス機能の操作画面（プリント）を表示している状態で、ユーザによるキー入力がなされたとＣＵＰ１０２が判断したものの、ユーザのキー操作が上記第１判断条件及び／又は第２判断条件を満たしていないと判断した場合の一例として、例えば、ユーザによりテンキーの「７」が入力されたと判断した場合、ＣＰＵ１０２は、上記の如くボックス機能からファクシミリ機能への自動切換えを禁止し、且つ、該ボックス機能の操作画面からファクシミリ機能の操作画面への自動切換えを禁止し、ボックス機能を注目選択機能としてそのまま維持するよう制御し、ボックス機能における処理条件の設定として反映するよう制御する。例えば、図１４のボックス機能の操作画面（プリント）を表示している状態で、ユーザにより「７」がテンキー入力されたので、液晶表示操作部に「７」を表示するよう図１５のボックス機能の操作画面（プリント）を表示させる。
【０１３７】
これは、上述の操作を経てユーザにより選択されたボックス内のユーザにより選択されたジョブの出力部数を７部とする設定がなされたことをユーザに通知可能にする為の操作画面でもある。そして、図１５の操作画面上の「プリント開始」キーがユーザにより押下されたことに応答し、ＣＰＵ１０２は、図１１のボックス機能の操作画面を介して選択されたユーザボックスの図１２，図１３のボックス機能の操作画面で選択された文書データを、図１４や図１５のボックス機能の操作画面（プリント）を介して設定された印刷出力条件に従って、出力部数７部数分、印刷するよう制御する。
【０１３８】
このように、本実施形態は、ファクシミリ機能以外の機能としてのコピー機能やボックス機能において上述の各実施形態に示した動作制御・表示制御をＣＰＵ１０２により実行可能に構成している。
【０１３９】
又、本形実施態は、上述した各実施形態での特徴的な一連の制御（即ち、ファクシミリ機能を選択する為の操作指示キー（例えば、図４の操作画面のファクシミリタブキー）の操作によりユーザが明示的にファクシミリ機能を選択しておらず、ファクシミリ機能の操作画面以外の操作画面を液晶表示操作部３１０に表示している状態で、ユーザのキー操作が上記第１判断条件及び／又は第２判断条件を満たしたと判断した場合に、自動的に、注目選択機能をファクシミリ機能に切り替え且つファクシミリ機能におけるデータ送信すべき外部装置の電話番号を入力する為のファクシミリ機能の操作画面を表示させるよう制御して所望の宛先の設定及び該設定に基づいたファクシミリ機能におけるデータ送信を実行させるよう制御し、一方、ファクシミリ機能の操作画面以外の操作画面を液晶表示操作部３１０に表示している状態で、ユーザのキー操作が上記第１判断条件及び／又は第２判断条件を満たしていないと判断した場合には、ファクシミリ機能への自動切換を禁止し、且つ、ファクシミリ機能の操作画面への自動切換えを禁止して、該表示対象の機能を注目選択機能として維持して該表示対象の機能の設定を引き続き実行可能にして、該選択機能による処理動作を実行可能にするよう制御する、一連の動作制御）を、第１の動作制御シーケンスとし、本実施形態の複写装置が該第１の動作制御シーケンスを具備する。
【０１４０】
そして、例えば、図４の操作画面等において、ファクシミリ機能をユーザ自身が明示的に選択する為の操作指示キー（例えば、図４の操作画面のファクシミリタブキー）の操作によりユーザが明示的にファクシミリ機能を選択したうえで、注目選択機能をファクシミリ機能に切り替え、図７に示す如く、ファクシミリ機能におけるデータ送信すべき外部装置の電話番号を入力する為のファクシミリ機能の操作画面を表示させるよう制御し、所望の宛先の設定及び該設定に基づいたファクシミリ機能におけるデータ送信を実行させるよう制御するような、ユーザの手動設定が主体となる一連の動作制御を、第２の動作制御シーケンスとして、本実施形態の複写装置が具備するよう制御する。
【０１４１】
そして、これらの２種類のシーケンスをＣＰＵ１０２の制御により選択的に実行可能に構成する。例えば、図４の標準画面におけるファクシミリタブキーに対するユーザ操作を確認した結果、ユーザがファクシミリ機能を明示的に選択しなかったと判断した場合には（ファクシミリタブキーが押下されておらず、ファクシミリ機能以外の機能を選択している場合）、ＣＰＵ１０２は、上記第１シーケンスを選択するよう制御し、一方、図４の標準画面におけるファクシミリタブキーに対するユーザ操作を確認した結果、ユーザがファクシミリ機能を明示的に選択したと判断した場合には（ファクシミリタブキーが押下され、ファクシミリ機能が選択されている場合）、上記第２シーケンスを選択するよう制御する。本実施形態の装置において、このような制御を実行可能に構成する。
【０１４２】
以上種々の構成を備えることで、従来のような課題を解決し、且つ、ユーザからの様々なニーズに対応した更なる操作性の向上を図ることができる。
【０１４３】
以上、各実施形態について示したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１４４】
例えば、本実施形態の装置は、スキャナユニットやＨＤ等のメモリユニットやプリントユニット等を具備する複数のユニットが一体型の装置の場合で主に説明したが、スキャナユニットとプリンタユニットとが別筐体のような装置・システムでも本実施形態は適用可能である。
【０１４５】
又、例えば、本実施形態では、複合機としての複写装置自体に表示部を具備する操作部を内蔵したシステム構成の場合について主に説明したが、タッチパネル機能を具備した大型液晶ディスプレイ等の表示部を具備した操作部を有する情報端末装置（パーソナルコンピュータ）を、該複写装置とは別筐体で、該複写装置とケーブル接続し、上述の各形態の動作制御及び表示制御等を司る上記ＣＰＵ１０２を該情報端末装置内に設け、該情報端末装置から本複写装置を制御可能にするシステム構成でも良く、該情報端末装置内部のＣＰＵの制御のもと、上述の各形態の各制御を実行可能にし、且つ、上述した本形態の表示制御に基づいて、該情報端末が具備する上記表示部により、上述の図面に示した操作画面の表示及び表示遷移を実行可能に制御する構成でも良い。このように、如何なる装置構成、システム形態でも良いが、いずれにしても、本形態による上記制御と同様な制御を実行可能に構成し、且つ、本形態の効果と同等効果を得られるような装置構成・システム構成であればよい。
【０１４６】
以下、図１６に示すメモリマップを参照して本発明に係る複合機で読み取り可能なデータ処理プログラムの構成について説明する。
【０１４７】
図１６は、本発明に係る複合機で読み取り可能な各種データ処理プログラムを格納する記憶媒体のメモリマップを説明する図である。
【０１４８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５０】
本実施形態における図６，図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５１】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５２】
この場合、記憶媒体から読み出されたプログラムコード自体が本発明の新規な機能を実現することになり、そのプログラムコードを記憶した記憶媒体は本発明を構成することになる。
【０１５３】
従って、プログラムの機能を有していれば、オブジェクトコード、インタプリタにより実行されるプログラム、ＯＳに供給するスクリプトデータ等、プログラムの形態を問わない。
【０１５４】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５５】
この場合、記憶媒体から読出されたプログラムコード自体が前述した実施形態の機能を実現することになり、そのプログラムコードを記憶した記憶媒体は本発明を構成することになる。
【０１５６】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６０】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１６１】
本発明は上記実施形態に限定されるものではなく、本発明の趣旨に基づき種々の変形（各実施形態の有機的な組合せを含む）が可能であり、それらを本発明の範囲から排除するものではない。
【０１６２】
本発明の様々な例と実施形態を示して説明したが、当業者であれば、本発明の趣旨と範囲は、本明細書内の特定の説明に限定されるのではない。
【図面の簡単な説明】
【０１６３】
【図１】本発明の第１実施形態を示す複写装置を適用可能な複写装置の制御構成を示す制御ブロック図である。
【図２】図１に示した複写装置の構成を示す断面図である。
【図３】図１に示した操作部の構成の一例を説明する平面図である。
【図４】図３に示した液晶表示操作部にコピーの標準画面が表示されている場合の模式図である。
【図５】従来の複写装置における制御処理動作を示すフローチャートである。
【図６】本実施形態の複写装置における第１の制御処理動作を示すフローチャートである。
【図７】図３に示した液晶表示操作部にファクシミリ番号入力画面が表示されている場合の模式図である。
【図８】本発明の第１実施形態において、ファクシミリ機能画面以外からテンキーで「０」が入力された場合の画面遷移を説明するための模式図である。
【図９】本実施形態の複写装置における第２の制御処理動作を示すフローチャートである。
【図１０】本発明の第２実施形態において、ファクシミリ機能画面以外から有効桁数以上テンキー入力された場合の画面遷移を説明するための模式図である。
【図１１】本実施形態における制御処理を説明する為の図である。
【図１２】本実施形態における制御処理を説明する為の図である。
【図１３】本実施形態における制御処理を説明する為の図である。
【図１４】本実施形態における制御処理を説明する為の図である。
【図１５】本実施形態における制御処理を説明する為の図である。
【図１６】本発明に係る複写装置で読み取り可能な各種データ処理プログラムを格納する記憶媒体のメモリマップを説明する図である。
【符号の説明】
【０１６４】
１００  制御部
１０１  ＩＰ部
１０２  ＣＰＵ
１０７  ＦＡＸ部
２００  複写装置
３０９  テンキー群
３１０  液晶表示操作部
１０００  操作部
【図１】
2005223859.tif 000003
【図２】
2005223859.tif 000004
【図３】
2005223859.tif 000005
【図４】
2005223859.tif 000006
【図５】
2005223859.tif 000007
【図６】
2005223859.tif 000008
【図７】
2005223859.tif 000009
【図８】
2005223859.tif 000010
【図９】
2005223859.tif 000011
【図１０】
2005223859.tif 000012
【図１１】
2005223859.tif 000013
【図１２】
2005223859.tif 000014
【図１３】
2005223859.tif 000015
【図１４】
2005223859.tif 000016
【図１５】
2005223859.tif 000017
【図１６】
2005223859.tif 000018